(57)【特許請求の範囲】
【請求項１】
遊技機の透明板ユニット構造体であって、
透明板、及び該透明板の縁部を保持する枠体を有する透明板ユニットと、
上記透明板が配置される開口部を有し、上記枠体を支持する扉本体と、
該扉本体に取り付けられ、上記枠体に係合して上記扉本体に対する上記透明板ユニットの支持状態をロックするロック部材と、を備え、
上記枠体における、上記ロック部材に対向する部位には、指を掛けるための指掛け部が設けられており、
該指掛け部に指を掛けながら上記ロック部材を操作して、該ロック部材の上記透明板ユニットに対する係合状態を解除可能であり、
上記ロック部材は、上部に位置して上記透明板ユニットに係合する係合部と、上記指掛け部に対向するよう下部に位置して当該ロック部材を操作するための操作部と、当該ロック部材を上記透明板ユニットに係合する方向へ付勢する付勢部とを有しているとともに、上記係合部及び上記操作部が、該係合部と該操作部とを結ぶ円弧軌跡に沿って移動可能であり、
かつ、上記指掛け部に上記操作部を接近させるよう、上記円弧軌跡に沿って上記係合部を移動させたときに、上記透明板ユニットに対する上記係合部の係合が解除される解除位置と、上記付勢部による付勢力を受けて、上記係合部が上記透明板ユニットに係合したときに、該係合部が該透明板ユニットの上方への移動を規制する規制位置とに変更可能である、遊技機の透明板ユニット構造体。
【発明の詳細な説明】
【技術分野】
【０００１】
本発明は、透明板ユニットを扉本体に支持する構造を有する、遊技機の透明板ユニット構造体に関する。
【背景技術】
【０００２】
パチンコ遊技機等の遊技機においては、遊技盤が配置された本体枠に対して、透明板ユニットが配置された前扉を開閉可能に取り付けている。透明板ユニットは、複層ガラス等を有して構成されており、ロック部材等によって前扉から外れないようにロックされている。
例えば、特許文献１には、窓枠本体と複層透明板とからなる窓枠を備えた弾球遊技機について開示されている。この弾球遊技機においては、窓枠本体の裏面上部又は複層透明板の前面上部の一方に係合部を設けるとともに、他方に係合部と係脱自在に係合する被係合部を設けている。また、窓枠本体の裏面には、複層透明板の周縁部を下側から保持する保持部を設けている。この窓枠においては、保持部によって複層透明板を保持した状態で、係合部と被係合部との係合によって、窓枠本体に複層透明板を簡単に取り付けることができる。
【先行技術文献】
【特許文献】
【０００３】
【特許文献１】特開２００５−３１９２１９号公報
【発明の概要】
【発明が解決しようとする課題】
【０００４】
しかしながら、特許文献１の弾球遊技機を含む従来の遊技機においては、前扉（又は窓枠本体）から透明板ユニット（又は複層透明板）を取り外すことについては特別な工夫はなされていない。すなわち、前扉に透明板ユニットを一旦取り付けた後に、前扉から透明板ユニットを容易に取り外すことは考えていない。そのため、前扉から透明板ユニットを取り外す際には、工具等又は強い力を使って取り外す必要がある。
【０００５】
本発明は、かかる背景に鑑みてなされたもので、扉本体から透明板ユニットを容易に取り外すことができる遊技機の透明板ユニット構造体を提供しようとして得られたものである。
【課題を解決するための手段】
【０００６】
本発明の一態様は、遊技機の透明板ユニット構造体であって、
透明板、及び該透明板の縁部を保持する枠体を有する透明板ユニットと、
上記透明板が配置される開口部を有し、上記枠体を支持する扉本体と、
該扉本体に取り付けられ、上記枠体に係合して上記扉本体に対する上記透明板ユニットの支持状態をロックするロック部材と、を備え、
上記枠体における、上記ロック部材に対向する部位には、指を掛けるための指掛け部が設けられており、
該指掛け部に指を掛けながら上記ロック部材を操作して、該ロック部材の上記透明板ユニットに対する係合状態を解除可能であり、
上記ロック部材は、上部に位置して上記透明板ユニットに係合する係合部と、上記指掛け部に対向するよう下部に位置して当該ロック部材を操作するための操作部と、当該ロック部材を上記透明板ユニットに係合する方向へ付勢する付勢部とを有しているとともに、上記係合部及び上記操作部が、該係合部と該操作部とを結ぶ円弧軌跡に沿って移動可能であり、
かつ、上記指掛け部に上記操作部を接近させるよう、上記円弧軌跡に沿って上記係合部を移動させたときに、上記透明板ユニットに対する上記係合部の係合が解除される解除位置と、上記付勢部による付勢力を受けて、上記係合部が上記透明板ユニットに係合したときに、該係合部が該透明板ユニットの上方への移動を規制する規制位置とに変更可能である、遊技機の透明板ユニット構造体にある。
【発明の効果】
【０００７】
上記遊技機の透明板ユニット構造体は、扉本体に対する透明板ユニットの支持状態を、ロック部材によってロックする構造を有する。また、透明板ユニットの枠体における、ロック部材に対向する部位に指掛け部を設けている。この指掛け部を設けた工夫により、扉本体から透明板ユニットを取り外す際には、作業者は、指掛け部に指を掛けながらロック部材を操作することができる。これにより、作業者は、透明板ユニットを取り外す動作に関連させてロック部材を小さな力で容易に操作することができ、ロック部材の透明板ユニットに対する係合状態を容易に解除することができる。
それ故、上記遊技機の透明板ユニット構造体によれば、扉本体から透明板ユニットを容易に取り外すことができる。
【図面の簡単な説明】
【０００８】
【図１】実施例にかかる、透明板ユニット構造体を裏面から見た状態で示す説明図。
【図２】実施例にかかる、ロック部材の周辺を扉本体の裏面から見た状態で示す説明図。
【図３】実施例にかかる、ロック部材の周辺を扉本体の正面から見た状態で示す説明図。
【図４】実施例にかかる、ロック部材の周辺を上方から見た状態で示す説明図。
【図５】実施例にかかる、他の透明板ユニットの構造を示す説明図。
【発明を実施するための形態】
【０００９】
上述した遊技機の透明板ユニット構造体における好ましい実施の形態について説明する。
上記遊技機の透明板ユニット構造体においては、上記ロック部材は、上部に位置して上記透明板ユニットに係合する係合部と、上記指掛け部に対向するよう下部に位置して当該ロック部材を操作するための操作部と、当該ロック部材を上記透明板ユニットに係合する方向へ付勢する付勢部とを有しているとともに、上記係合部及び上記操作部が、該係合部と該操作部とを結ぶ円弧軌跡に沿って移動可能であり、かつ、上記指掛け部に上記操作部を接近させるよう、上記円弧軌跡に沿って上記係合部を移動させたときに、上記透明板ユニットに対する上記係合部の係合が解除される解除位置と、上記付勢部による付勢力を受けて、上記係合部が上記透明板ユニットに係合したときに、該係合部が該透明板ユニットの上方への移動を規制する規制位置とに変更可能である。
【００１０】
上記透明板ユニット構造体においては、透明板ユニットの枠体に指掛け部を設ける工夫以外にも、ロック部材の構造に工夫をすることによって、扉本体に対する透明板ユニットの取付け及び取外しをさらに容易にすることができる。
具体的には、ロック部材は、係合部、操作部及び付勢部を有しており、係合部と操作部とを結ぶ円弧軌跡に沿って移動可能である。係合部は、ロック部材の上部に位置し、操作部は、枠体の指掛け部に対向するよう、ロック部材の下部に位置している。
【００１１】
扉本体に透明板ユニットを取り付けるときには、作業者は、透明板ユニットの枠体の指掛け部に指を掛けて透明板ユニットを持ち上げ、透明板ユニットを扉本体に合わせる。このとき、ロック部材は、その係合部が透明板ユニットに押されて、付勢部による付勢力に抗して規制位置から解除位置に向けて変化した後、付勢部による付勢力によって再び規制位置に復帰する。これにより、扉本体への透明板ユニットの取付けを簡単に行うことができる。なお、ロック部材の規制位置から解除位置に向けた変化は、作業者が、指掛け部と操作部とに指を掛けて操作することにより行うこともできる。
【００１２】
また、扉本体に透明板ユニットが取り付けられ、ロック部材が規制位置に維持されるときには、付勢部による付勢力を受けて、ロック部材の係合部が透明板ユニットに係合することにより、扉本体に対する透明板ユニットの支持状態がロックされる。また、ロック部材が規制位置に維持されるときには、係合部が透明板ユニットの上方への移動を規制する。これにより、ロック部材を利用して、扉本体に対する透明板ユニットの支持状態を維持するとともに、扉本体に対する透明板ユニットの上方への位置ずれを規制することができる。
【００１３】
一方、扉本体から透明板ユニットを取り外すときには、作業者は、透明板ユニットの枠体の指掛け部とロック部材の操作部とに指を掛けて、指掛け部に操作部を接近させるようロック部材を規制位置から解除位置へ変化させる。このとき、ロック部材の係合部及び操作部が円弧軌跡に沿って移動することにより、ロック部材の操作部の下側への移動に伴って、ロック部材の係合部が左右方向の中心側から外側へ移動する。言い換えれば、ロック部材が円弧軌跡に沿って移動する簡易的な構造により、ロック部材の操作部の下方向への移動を、ロック部材の係合部の左右方向の外側方向への移動に変換することができる。これにより、作業者による簡単な操作によって、透明板ユニットに対するロック部材の係合部の係合が解除され、扉本体から透明板ユニットを簡単に取り外すことができる。
【実施例】
【００１４】
以下に、遊技機の透明板ユニット構造体にかかる実施例について、図面を参照して説明する。
遊技機の透明板ユニット構造体１は、図１に示すように、透明板ユニット３、扉本体２及びロック部材４を備えている。透明板ユニット３は、透明板３１と、透明板３１の縁部を保持する枠体３２とを有している。扉本体２は、透明板３１が配置される開口部２１を有し、枠体３２を支持するものである。ロック部材４は、扉本体２の上枠部の左右両側に一対に取り付けられており、枠体３２に係合して扉本体２に対する透明板ユニット３の支持状態をロックするものである。
【００１５】
図１〜図３に示すように、枠体３２における、一対のロック部材４に対向する左右両側の部位には、指を掛けるための指掛け部３３がそれぞれ設けられている。透明板ユニット構造体１は、左右両側の指掛け部３３に指を掛けながら左右両側のロック部材４を操作して、ロック部材４の透明板ユニット３に対する係合状態を解除可能である。
【００１６】
以下に、本例の遊技機の透明板ユニット構造体１について、図１〜図５を参照して詳説する。
本例の遊技機はパチンコ遊技機である。遊技機は、これ以外にもスロットマシーン等とすることができる。透明板ユニット構造体１は、遊技機の前面に配置される前扉を構成するものである。透明板ユニット構造体１は、少なくとも透明板ユニット３、扉本体２及びロック部材４を備えているものであり、これ以外の部品として、例えば、球皿、球発射装置、整流器、スピーカ等を備えていてもよい。
図１は、透明板ユニット構造体１を、扉本体２の裏面２０１側から見た状態で示す。透明板ユニット３は扉本体２の裏面２０１に取り付けられている。また、ロック部材４は、扉本体２の裏面２０１に取り付けられている。
【００１７】
図１〜図３、図５に示すように、透明板ユニット３における透明板３１は、互いに対向して配置された２枚の透明ガラス又は透明樹脂によって構成されている。なお、透明板ユニット３における透明板３１は、１枚の透明ガラス又は透明樹脂によって構成することもできる。この場合、扉本体２の開口部２１の前面側に、他の１枚の透明板を直接設けることができる。
【００１８】
透明板ユニット３における枠体３２は、２枚の透明板３１の間隔を一定に保って、この透明板３１の全周の縁部を保持する。透明板３１の上部は、左右方向に円弧状に形成されている。枠体３２は、透明板３１の上部における左右両側の位置に、指掛け部３３と、ロック部材４が係合する被係合部３４とを有している。指掛け部３３は、枠体３２における左右方向に平行な樹脂の壁部によって形成されている。指掛け部３３の下方には、作業者が左右方向の外側から指を入れるための指入れ口３５が形成されている。
【００１９】
図１に示すように、透明板ユニット３の枠体３２の下部には、扉本体２の開口部２１の下側縁部に設けられた下側支持部２２によって支持される下側被支持部３２１が設けられている。下側支持部２２と下側被支持部３２１とは、いずれか一方を貫通穴もしくは凹部によって構成し、他方を貫通穴もしくは凹部に差し込まれる突起によって構成することができる。
また、図１、図２、図５に示すように、透明板ユニット３の枠体３２の上部の左右両側であって、被係合部３４よりも内側の位置には、扉本体２の裏面２０１における上部の左右両側に設けられた上側支持部２３によって支持される上側被支持部３２２が設けられている。上側支持部２３と上側被支持部３２２とは、いずれか一方を貫通穴もしくは凹部によって構成し、他方を貫通穴もしくは凹部に差し込まれる突起によって構成することができる。
【００２０】
図１〜図３に示すように、ロック部材４は、扉本体２の裏面２０１の上部において、扉本体２の左右両側に一対に設けられている。透明板ユニット３の枠体３２は、扉本体２において一対のロック部材４が配置された位置に、それぞれ切欠き部３６を有している。ロック部材４は、枠体３２における切欠き部３６に配置されており、ロック部材４の下端部は、枠体３２の指掛け部３３に対向し、ロック部材４の上端部における係合部６１は、枠体３２の被係合部３４に対向する。
【００２１】
図１に示すように、扉本体２は、左右方向の一方の側部の上下に、遊技機の本体枠に対して扉本体２を開閉可能にするヒンジ部２４を有しており、左右方向の他方の側部に、本体枠に対して扉本体２を閉じた状態を施錠するための施錠機構２５を有している。図示は省略するが、扉本体２の裏面２０１における、透明板ユニット３が配置されていない下部には、種々の機能部品が配置されている。透明板ユニット３の透明板３１は、扉本体２の開口部２１に対向し、透明板ユニット３の枠体３２は、扉本体２の開口部２１の周縁に対向している。
【００２２】
図２、図３に示すように、ロック部材４は、扉本体２に取り付けられたケース部材５と、ケース部材５内にスライド可能に配置されたスライド部材６と、スライド部材６を透明板ユニット３に係合する方向へ付勢する付勢部材（付勢部）６３とを有している。スライド部材６には、透明板ユニット３の枠体３２の被係合部３４に係合する係合部６１と、スライド部材６をスライド操作するための操作部６２とが設けられている。スライド部材６は、上側に凸状に膨らむ円弧形状に形成されている。係合部６１は、円弧形状のスライド部材６の上部であって左右方向の中心側に位置し、操作部６２は、円弧形状のスライド部材６の下部であって左右方向の外側に位置している。
【００２３】
ケース部材５における、扉本体２に対向する側には、スライド部材６を収容するための収容部５１が形成されている。収容部５１は、円弧形状のスライド部材６に沿った円弧形状に形成されている。スライド部材６の係合部６１及び操作部６２は、ケース部材５に形成された収容部５１に沿って、係合部６１と操作部６２とを結ぶ円弧軌跡Ｃ上をスライドする。
【００２４】
図２に示すように、スライド部材６は、透明板ユニット３における枠体３２の被係合部３４に対する係合部６１の係合が解除される解除位置６０１と、係合部６１が透明板ユニット３の上方への移動を規制する規制位置６０２とに移動可能である。また、スライド部材６が規制位置６０２にあるときには、枠体３２の被係合部３４に対して係合部６１が係合し、扉本体２に透明板ユニット３が支持された状態がロック（維持）される。
作業者が枠体３２の指掛け部３３に操作部６２を接近させるよう、円弧軌跡Ｃに沿ってスライド部材６の操作部６２を下方へ移動させたときには、スライド部材６の係合部６１が左右方向の外側に移動する。そして、スライド部材６は、規制位置６０２から解除位置６０１に切り換わる。また、スライド部材６が付勢部材６３による付勢力を受けて規制位置６０２にスライドしたときには、係合部６１が枠体３２の被係合部３４に係合し、被係合部３４が、スライド部材６の係合部６１と扉本体２との間に挟み込まれる。
【００２５】
また、図２、図３に示すように、スライド部材６が規制位置６０２にあるときには、スライド部材６における係合部６１の下壁部が、枠体３２における被係合部３４の下方に形成された規制部３７に対向する。規制部３７は、スライド部材６の係合部６１に下方から当接可能な壁部によって構成されている。これにより、透明板ユニット３を無用に上方へ移動させようとする力が発生したとしても、枠体３２における規制部３７がスライド部材６における係合部６１の下壁部に当たって、透明板ユニット３の上昇への移動が規制される。
【００２６】
図３に示すように、付勢部材６３は、捩りコイルバネによって構成されている。ケース部材５における収容部５１の内側には、付勢部材６３を支持するためのバネ支持部５２が形成されている。付勢部材６３は、バネ支持部５２とスライド部材６との間に挟まれており、スライド部材６のスライドによって弾性変形可能である。
スライド部材６の操作部６２は、係合部６１が形成されたスライド部材６の本体部６０から、扉本体２の裏面２０１側へ略直角に屈曲して形成されている。ケース部材５には、操作部６２が配置されるスライド用穴５３が形成されている。スライド用穴５３は、作業者が操作部６２を操作して、スライド部材６を解除位置６０１と規制位置６０２との間でスライドさせるときに、ケース部材５に対する操作部６２の干渉を避けるために形成されている。
【００２７】
扉本体２に対してロック部材４を組み付けるときには、まず、操作部６２をケース部材５の裏側からスライド用穴５３に配置するようにして、スライド部材６をケース部材５の収容部５１内に配置する。次いで、付勢部材６３をケース部材５の裏側からケース部材５のバネ支持部５２とスライド部材６との間に配置する。そして、付勢部材６３がケース部材５のバネ支持部５２とスライド部材６との間に挟み込まれた状態で、ケース部材５を扉本体２にビス等によって固定する。
【００２８】
図４に示すように、スライド部材６の係合部６１における、扉本体２側に位置する第１表面６１１及び扉本体２とは反対側に位置する第２表面６１２は、いずれもテーパ形状に形成されている。
係合部６１の第１表面６１１は、扉本体２に透明板ユニット３が取り付けられた状態において、扉本体２へ被係合部３４を押圧しやすくするためのテーパ形状に形成されている。第１表面６１１は、扉本体２の裏面２０１との間の隙間が、先端側から基端側に行くに連れて狭くなるテーパ形状に形成されている。テーパ形状の第１表面６１１が枠体３２における被係合部３４の後面側先端部３４２を押圧することによって、付勢部材６３による付勢力を、被係合部３４を含む枠体３２が扉本体２の裏面２０１の方向へ押圧される力として利用することができる。これにより、扉本体２の裏面２０１と透明板ユニット３の枠体３２の表面との密着性を向上させることができ、扉本体２に対して透明板ユニット３を適切に配設することができる。
【００２９】
係合部６１の第２表面６１２は、扉本体２へ透明板ユニット３を取り付ける際に、透明板ユニット３における枠体３２の被係合部３４の前面側先端部３４１が第２表面６１２に当接したときに、スライド部材６が、被係合部３４の前面側先端部３４１によって押されて規制位置６０２から解除位置６０１へスライドしやすくするためのテーパ形状に形成されている。被係合部３４における、扉本体２側に位置する前面側先端部３４１は、Ｒ形状（曲面形状）に形成されている。これにより、被係合部３４の前面側先端部３４１と係合部６１の第２表面６１２とが摺動しやすくしている。図４においては、被係合部３４に押されて係合部６１がスライドする状態を二点鎖線及び括弧付きの符号で示す。
第２表面６１２は、先端側から基端側に行くに連れて扉本体２から離れるテーパ形状に形成されている。また、扉本体２の裏面２０１に対する係合部６１の第２表面６１２の傾斜角度は、扉本体２の裏面２０１に対する係合部６１の第１表面６１１の傾斜角度よりも大きく設定されている。
【００３０】
図５に示すように、透明板ユニット３は、枠体３２を成形するための樹脂材料内に、透明板３１をインサート成形して形成されている。透明板ユニット３は、１枚の透明板３１ごとにインサート成形を行った１つの成形体３２Ａ，３２Ｂを２つ組み合わせて形成されている。枠体３２は、透明板３１ごとの成形体３２Ａ，３２Ｂを形成するために、透明板３１同士の中間位置において、扉本体２側に位置する成形体３２Ａと遊技盤７側に位置する成形体３２Ｂとの２つに分割した状態で形成されている。扉本体２側の成形体３２Ａと遊技盤７側の成形体３２Ｂとは、ビス等によって互いに組み付けられている。
【００３１】
図２に示すように、スライド部材６の係合部６１が係合する被係合部３４は、遊技盤７側に位置する成形体３２Ｂに形成されている。そして、図５に示すように、扉本体２側の成形体３２Ａの前面３２３Ａと扉本体２の裏面２０１との間には隙間Ｓを形成し、被係合部３４が形成された遊技盤７側の成形体３２Ｂの前面３２３Ｂを基準として、透明板ユニット３が扉本体２に取り付けられる。これにより、遊技盤７側の成形体３２Ｂに一体的に配置された透明板３１を基準として、透明板ユニット３が扉本体２に取り付けられる。そのため、本体枠に配置された遊技盤７の盤面から、遊技盤７側に配置される透明板３１の外側表面（後面）までの隙間Ｗ、すなわち、遊技球Ｒが通過する領域の前後方向の隙間Ｗを一定の間隔に保って適切に規定することができる。
【００３２】
また、インサート成形を行って透明板ユニット３を形成することにより、透明板３１を成形型内に配置したときに、成形型の内壁面から透明板３１の表面までの距離を正確に設定することができる。また、成形型内に各成形体３２Ａ，３２Ｂを成形したときに、各成形体３２Ａ，３２Ｂの成形表面から透明板３１の表面までの距離を正確に設定することができる。これによっても、遊技球Ｒが通過する領域の前後方向の隙間Ｗを一定の間隔に保って適切に規定することができる。また、被係合部３４を遊技盤７側の成形体３２Ｂに形成する一方、指掛け部３３は扉本体２側の成形体３２Ａに形成することによって、各成形体３２Ａ，３２Ｂに形成する機能部分を適宜振り分けている。
【００３３】
また、本例のロック部材４は、樹脂製のケース部材５と樹脂製のスライド部材６との組合せによって構成されている。スライド部材６はＰＯＭ等の摺動性の高い樹脂部材で構成されている。
なお、ロック部材４は、例えば、係合部、操作部及び付勢部が一体的に設けられた金属製の部材によって構成することもできる。この場合には、金属製の部材は、金属板を折曲げ加工して形成することができる。そして、付勢部は、金属板のたわみを受けて弾性変形可能な板バネ部によって構成することができる。
また、ロック部材４は、扉本体２に対する透明板ユニット３の支持状態をロックできる構造であれば、本実施例で示した構造以外の種々の構造とすることができる。
【００３４】
次に、扉本体２に対する透明板ユニット３の取付け及び取外しを行う方法、及び透明板ユニット構造体１の作用効果について説明する。
扉本体２に透明板ユニット３を取り付けるときには、作業者は、透明板ユニット３の枠体３２の左右両側の指掛け部３３に左右の指を掛けて透明板ユニット３を持ち上げ、透明板ユニット３を扉本体２に合わせる。このとき、図１、図４に示すように、透明板ユニット３の枠体３２の下側被支持部３２１が、扉本体２の下側支持部２２によって受け止められる。また、枠体３２の下側被支持部３２１を支点として透明板ユニット３を回動させる動作によって、扉本体２の上側支持部２３による、透明板ユニット３の枠体３２の上側被支持部３２２の支持が開始される。
【００３５】
また、各スライド部材６の係合部６１の第２表面６１２に、透明板ユニット３の枠体３２の各被係合部３４の前面側先端部３４１が当接する。そして、作業者が透明板ユニット３を扉本体２に取り付けようとするときに発生する力により、各スライド部材６の係合部６１が各被係合部３４によって押され、スライド部材６が付勢部材６３による付勢力に抗して解除位置６０１の側へ移動する。そして、各係合部６１の第２表面６１２に対する各被係合部３４の前面側先端部３４１の当接が解除され、各被係合部３４が各係合部６１を乗り越える。その後、各スライド部材６は、付勢部材６３による付勢力によって再び規制位置６０２に復帰する。
【００３６】
これにより、枠体３２の各被係合部３４が、スライド部材６の係合部６１と扉本体２の裏面２０１との間に挟み込まれる。また、透明板ユニット３の枠体３２の上側被支持部３２２の、扉本体２の上側支持部２３との係合状態も完成される。こうして、本例の透明板ユニット構造体１によれば、扉本体２への透明板ユニット３の取付けを簡単に行うことができる。
【００３７】
また、扉本体２に透明板ユニット３が取り付けられ、各スライド部材６が規制位置６０２に維持されるときには、各付勢部材６３による付勢力を受けて、各スライド部材６の係合部６１が枠体３２の各被係合部３４に係合することにより、扉本体２に対する透明板ユニット３の支持状態がロックされる。また、各スライド部材６が規制位置６０２に維持されるときには、透明板ユニット３の枠体３２の各規制部３７が各係合部６１の下壁部に対向し、各スライド部材６の係合部６１の下壁部が透明板ユニット３の上方への移動を規制する。これにより、ロック部材４を利用して、扉本体２に対する透明板ユニット３の支持状態を維持するとともに、扉本体２に対する透明板ユニット３の上方への位置ずれを規制することができる。
【００３８】
また、扉本体２に取り付けられた透明板ユニット３は、下側支持部２２による下側被支持部３２１の支持、上側支持部２３による上側被支持部３２２の支持によって、扉本体２に対する前後、左右、及び下方向への位置ずれが規制される。また、スライド部材６の各係合部６１の下壁部が、透明板ユニット３の枠体３２の各規制部３７の上方への移動を規制して、透明板ユニット３の上方向への位置ずれが規制される。これにより、透明板ユニット３が扉本体２に安定して保持される。また、ロック部材４によっても、扉本体２に対する透明板ユニット３の前後及び左右への位置ずれが規制される。
【００３９】
一方、扉本体２から透明板ユニット３を取り外すときには、図１、図２に示すように、作業者は、透明板ユニット３の枠体３２の各指掛け部３３と各スライド部材６の操作部６２とに指を掛けて、各指掛け部３３に各操作部６２を接近させるよう各スライド部材６を規制位置６０２から解除位置６０１へ移動させる。このとき、各スライド部材６が円弧軌跡Ｃに沿って移動することにより、各スライド部材６の操作部６２の下側への移動に伴って、各スライド部材６の係合部６１が左右方向の中心側から外側へ移動する。
【００４０】
これにより、作業者は、透明板ユニット３の枠体３２の各指掛け部３３に左右の指を掛けて、透明板ユニット３を持ち上げる動作の中で、各スライド部材６をスライドさせることができる。言い換えれば、作業者は、透明板ユニット３の左右両側において、左右の手の親指と人差し指又は中指との間に、各指掛け部３３と各スライド部材６の操作部６２とを挟み込むようにして、透明板ユニット３を持ち上げる動作と合わせて、各スライド部材６を規制位置６０２から解除位置６０１へスライドさせることができる。
そのため、作業者による簡単な操作によって、透明板ユニット３の各被係合部３４に対する各係合部６１の係合が解除され、扉本体２から透明板ユニット３を簡単に取り外すことができる。
【００４１】
本例の遊技機の透明板ユニット構造体１は、透明板ユニット３の枠体３２に指掛け部３３を設けた工夫、及びロック部材４の構造の工夫によって、扉本体２への透明板ユニット３の取付け、扉本体２からの透明板ユニット３の取外しのいずれも、作業者が容易に行うことができるものである。
扉本体２に透明板ユニット３を取り付ける際には、作業者は、各指掛け部３３を利用して透明板ユニット３を持ち上げながら、透明板ユニット３を扉本体２に取り付けることができる。このとき、スライド部材６の係合部３１が、透明板ユニット３の被係合部３４によって押されてケース部材５の中に引き込まれる。これにより、作業者は、スライド部材６を操作することなく、透明板ユニット３を扉本体２に合わせる動作のみによって、扉本体２に透明板ユニット３を取り付けることができる。
【００４２】
また、扉本体２から透明板ユニット３を取り外す際には、作業者は、各指掛け部３３に指を掛けながら各スライド部材６を操作することができる。これにより、作業者は、スライド部材６を小さな力で容易に操作することができ、透明板ユニット３の被係合部３４に対するスライド部材６の係合部６１の係合状態を容易に解除することができる。
それ故、本例の遊技機の透明板ユニット構造体１によれば、扉本体２に透明板ユニット３を容易に取り付けることができるとともに、扉本体２から透明板ユニット３を容易に取り外すことができる。
【符号の説明】
【００４３】
１  透明板ユニット構造体
２  扉本体
２１  開口部
３  透明板ユニット
３１  透明板
３２  枠体
３３  指掛け部
３４  被係合部
４  ロック部材
５  ケース部材
６  スライド部材
６１  係合部
６２  操作部
６３  付勢部材（付勢部）
【図１】
0006527039.tif 000002
【図２】
0006527039.tif 000003
【図３】
0006527039.tif 000004
【図４】
0006527039.tif 000005
【図５】
0006527039.tif 000006